(57)【要約】  室内機本体（１）内に、ファン（２１）に付着した埃を除去するファン清掃装置（Ｂ）を備え、ファン清掃装置（Ｂ）は、送風路（２４）のケーシング（２３）の一部を凹陥形成してなる収納用凹部（３０）に収容され先端にブラシ部（４２）を備え送風路（２４）に延出自在に支持される清掃部材（４０）を備え、送風路（２４）に接する面が、収納用凹部（３０）に清掃部材（４０）が収容され蓋体（５０）が清掃部材（４０）を閉成した状態で室内機本体（１）のケーシング（２３）の送風路（２４）を構成する面よりも凹陥位置にある。
2008062876.tif 000002
【特許請求の範囲】
【請求項１】
室内機本体の空気吸込口と吹出口を連通する送風路に、室内熱交換器及び、室内送風機が配置された空気調和機の室内機において、
上記送風路の一部を構成するケーシングに、上記室内送風機のファンに付着する塵埃等を除去するファン清掃装置を備え、
上記ファン清掃装置は、
上記ケーシングの一部を凹陥形成してなる収納用凹部に収容され、先端にブラシ部を備え、上記送風路に延出自在に支持される清掃部材を備え、送風路に接する面が、収納用凹部に収容された状態で、上記ケーシングの送風路を構成する周囲の面よりも凹陥位置にあることを特徴とする空気調和機の室内機。
【請求項２】
室内機本体の空気吸込口と吹出口を連通する送風路に、室内熱交換器及び、室内送風機が配置された空気調和機の室内機において、
上記送風路の一部を構成するケーシングに、上記室内送風機のファンに付着する塵埃等を除去するファン清掃装置を備え、
上記ファン清掃装置は、
上記ケーシングの一部を凹陥形成してなる収納用凹部に収容され、先端にブラシ部を備え、上記送風路に延出自在に支持される清掃部材と、この清掃部材が上記収納用凹部に収容された状態で、清掃部材を覆う開閉自在な蓋体とを備え、
上記送風路に接する面が、収納用凹部に清掃部材が収容され、蓋体が清掃部材を閉成した状態で、上記ケーシングの送風路を構成する周囲の面よりも凹陥位置にあることを特徴とする空気調和機の室内機。
【請求項３】
上記ファン清掃装置は、送風路に接する面が、上記ケーシングの送風路を構成する周囲の面よりも１〜５ｍｍの深さを有する凹陥位置にあることを特徴とする請求項１及び請求項２のいずれかに記載の空気調和機の室内機。
【請求項４】
上記ファン清掃装置の上記蓋体は、蓋体が開放された状態で上記清掃部材が回動する際に、清掃部材先端の上記ブラシ部を摺接させ、上記室内送風機のファンからブラシ部に移行した塵埃等を掻き落す埃取り用突起部を備えたことを特徴とする請求項２記載の空気調和機の室内機。
【請求項５】
上記清掃部材先端のブラシ部は、上記室内送風機のファンの軸方向に沿って対向して設けられ、
上記埃取り用突起部は直状に形成され、かつ上記ブラシ部の全長に亘って対向して設けられることを特徴とする請求項４記載の空気調和機の室内機。
【発明の詳細な説明】
【技術分野】
【０００１】
本発明は、室内送風機のファンに対する掃除機能を備えた空気調和機の室内機に関する。
【背景技術】
【０００２】
一般的に多用される空気調和機の室内機は、いわゆる壁掛け式と呼ばれていて、部屋の壁面高所に取付けられる。筐体である本体内に収容される室内熱交換器の前面側にはエアフィルタが備えられ、本体内に吸込まれた室内空気を濾過し、清浄空気のみを室内熱交換器に導くようになっている。【０００３】
長期の使用に亘ればエアフィルタの表面に濾過した埃が堆積し、そのまま放置すれば室内熱交換器に流通する風量が減少して室内熱交換器の熱交換効率が低下する。ユーザーのエアフィルタ掃除手間を省略すべく、近年、エアフィルタに付着した埃を自動的に除去するエアフィルタ自動清掃装置を備えた空気調和機が提供されている。【０００４】
また、本体内には、エアフィルタ及び室内熱交換器とともに室内送風機が収容される。この室内送風機は、室内送風機のファンと、このファンを回転駆動するモータとから構成される。上記室内送風機のファンには、エアフィルタを通過した空気中に含まれる微細な埃やカビの胞子のような塵埃等が長期間の使用により付着・堆積し易く、空調能力が低下して消費電力の増大に繋がる。【０００５】
このため、カビ発生の原因となる本体内の湿気を取除く乾燥運転と、カビの胞子を死滅させるため内部にオゾンを充満させる殺菌運転及び、汚れた空気や湿気を外部に排出する排気運転などを実行する機内クリーン運転を、空気調和運転の終了後に行うようにした空気調和機が、特開２００２−３４９８９１号公報に開示されている。
【発明の開示】
【０００６】
上記特開２００２−３４９８９１号公報の技術を採用して、空調運転の終了後に本体内の乾燥と殺菌をなす機内クリーン運転を行うことと、エアフィルタの自動清掃をなすことにより、ファンへのカビ発生及び堆積を防ぎ、長期間に亘り本体内を清潔な状態に保持し、所定以上の空調能力を維持することは可能である。
【０００７】
ただし、機内クリーン運転を行わないまま長期間に亘って空調運転を継続すると、本体内の殺菌が不十分となるばかりでなく、特に、室内送風機のファンに対する殺菌が不十分となる。そのため、使用条件によっては、ファン表面にカビが発生して微細な埃が付着することで塵埃等が堆積し、空調能力の低下を招く場合もある。
【０００８】
本発明は上記事情にもとづきなされたものであり、その目的とするところは、室内送風機のファンに付着・堆積している塵埃等をファン清掃装置で除去し、室内機本体内をより清潔な状態に保持するとともに、ファン清掃装置を送風路に備えたにも係らず、円滑な送風が行えて空調能力を長期間に亘って保持する空気調和機の室内機を提供しようとするものである。
【０００９】
上記目的を満足するため本発明の空気調和機の室内機は、室内機本体の空気吸込口と吹出口を連通する送風路に、室内熱交換器及び室内送風機が配置され、送風路の一部を構成するケーシングに、室内送風機のファンに付着する塵埃等を除去するファン清掃装置を備え、ファン清掃装置は、ケーシングの一部を凹陥形成してなる収納用凹部に収容され、先端にブラシ部を備え送風路に延出自在に支持される清掃部材を備え、送風路に接する面が収納用凹部に収容された状態でケーシングの送風路を構成する周囲の面よりも凹陥位置にある。
【００１０】
また、上記目的を満足するため本発明の空気調和機の室内機は、室内機本体の空気吸込口と吹出口を連通する送風路に、室内熱交換器及び室内送風機が配置され、送風路の一部を構成するケーシングに、室内送風機のファンに付着する塵埃等を除去するファン清掃装置を備え、ファン清掃装置は、ケーシングの一部を凹陥形成してなる収納用凹部に収容され、先端にブラシ部を備え送風路に延出自在に支持される清掃部材と、この清掃部材が収納用凹部に収容された状態で清掃部材を覆う開閉自在な蓋体とを備え、送風路に接する面が収納用凹部に清掃部材が収容され蓋体が清掃部材を閉成した状態でケーシングの送風路を構成する周囲の面よりも凹陥位置にある。
【図面の簡単な説明】
【００１１】
【図１】図１は、本発明における一実施の形態に係る、空気調和機室内機の概略断面図である。
【図２】図２は、同実施の形態に係る、収納用凹部に板状清掃部材と蓋体が収納されている状態を示す要部の断面図である。
【図３】図３は、同実施の形態に係る、収納用凹部から板状清掃部材と蓋体が作動位置に移動する途中の状態を示す要部の断面図である。
【図４】図４は、同実施の形態に係る、板状清掃部材の作動姿勢を説明する要部の断面図である。
【図５】図５は、同実施の形態に係る、ファン清掃装置のブラシとファンのブレードとの関係を説明する図である。
【図６Ａ】図６Ａは、同実施の形態に係る、ファン清掃装置の送風路に対する互いに異なる形態に基づく、圧力分布を示すシミュレーション図である。
【図６Ｂ】図６Ｂは、同実施の形態に係る、ファン清掃装置の送風路に対する互いに異なる形態に基づく、圧力分布を示すシミュレーション図である。
【図６Ｃ】図６Ｃは、同実施の形態に係る、ファン清掃装置の送風路に対する互いに異なる形態に基づく、圧力分布を示すシミュレーション図である。
【図７】図７は、同実施の形態に係る、ファン清掃装置の送風路に対する最良の形態を示す概略の断面図である。
【発明を実施するための最良の形態】
【００１２】
以下、図面を参照しながら、本発明の実施の形態について詳細に説明する。【００１３】
図１は空気調和機の室内機に係る概略の縦断面図である。（なお、説明中に符号を付していない部品は図示していない。以下同じ）
室内機本体１は、前側筐体を構成する前面パネル２と、後板筐体３とから構成され、上下方向に対し幅方向に横長状をなす。室内機本体１の前面側一部に前部吸込口４が開口され、この前部吸込口４に対向する前面パネル２には開閉駆動機構に支持される可動パネル２Ａが嵌め込まれている。【００１４】
図１のような空調運転停止時では、上記可動パネル２Ａは前面パネル２表面に接合して前部吸込口４を閉成する。空調運転時には、手前側に突出して前部吸込口４が室内に対して開放するよう制御される。室内機本体１の上部には、桟によって複数の空間部に仕切られる上部吸込口５が設けられる。【００１５】
上記室内機本体１の前面下部に吹出口６が開口され、この吹出口６には２枚の吹出しルーバー７ａ，７ｂが並行して設けられる。各吹出しルーバー７ａ，７ｂは、空調運転の種類に応じて回動姿勢をとって熱交換空気の吹出し方向を設定し、空調運転停止時には吹出口６を閉成するようになっている。【００１６】
室内機本体１内には、前側熱交換器部８Ａと後側熱交換器部８Ｂとで略逆Ｖ字状に形成される室内熱交換器８が配置される。前側熱交換器部８Ａは前面パネル２と間隙を存してほぼ平行な湾曲状に形成され、前部吸込口４と上部吸込口５一部に対向する。後側熱交換器部８Ｂは直状に形成され、上部吸込口５一部と斜めに傾斜して対向する。【００１７】
前面パネル２と室内熱交換器８との間に枠体組立て１０が設けられる。前部吸込口４及び上部吸込口５と、前側熱交換器部８Ａ及び後側熱交換器部８Ｂとの間に、エアフィルタ１１を構成する前部エアフィルタ１１Ａと上部エアフィルタ１１Ｂが介在し、それぞれが枠体組立て１０に対して移動自在に支持される。【００１８】
前部エアフィルタ１１Ａ上端と上部エアフィルタ１１Ｂ前端との間には、エアフィルタ清掃装置Ａが配置される。エアフィルタ清掃装置Ａは、前部エアフィルタ１１Ａを上部エアフィルタ１１Ｂの上面側に往復移動させながら、前部エアフィルタ１１Ａに付着する埃を除去する。さらに、上部エアフィルタ１１Ｂを前部エアフィルタ１１Ａの前面側に往復移動させながら、前部エアフィルタ１１Ａに付着する埃を除去する。【００１９】
前側熱交換器部８Ａの前面側で、かつ前部エアフィルタ１１Ａの背面側に位置して空気清浄ユニット１７が取付けられる。この空気清浄ユニット１７は、左右一対の電気集塵機１８と、一方の電気集塵機側部に配置される集塵機電源部とから構成される。【００２０】
各電気集塵機１８は、流通する空気中の埃に電荷を与える荷電側電極と、電荷を与えられた埃を捕捉する集塵側電極を備えている。各電極表面には、脱臭剤が塗布され、電気集塵機として集塵機能と脱臭機能を併せ有する。そして、電気集塵機１８は室内空気が導かれない状態では、オゾンを発生する機能を備えたオゾン発生装置でもある。【００２１】
側面視で傘状に形成される上記室内熱交換器８の前、後側熱交換器部８Ａ，８Ｂ相互間に、室内送風機２０が配置される。室内送風機２０は、室内機本体１の一側端のスペースに配置されるファンモータと、このファンモータの回転軸に一方の支軸が連結されるファン２１とから構成される。なお、本実施の形態においては、ファン２１は横流ファン（クロスフローファン）で構成している。【００２２】
室内送風機２０を駆動することで、室内空気が前、上部吸込口４，５から室内機本体１内に吸込まれ、前、上部エアフィルタ１１Ａ，１１Ｂから空気清浄ユニット１７と室内熱交換器８を流通し、さらに室内送風機２０を介して吹出口６から吹出される送風路２４が形成される。【００２３】
上記前側熱交換器部８Ａの下端部は前ドレンパン２２ａ上に載り、上記後側熱交換器部８Ｂの下端部は後ドレンパン２２ｂ上に載る。前、後ドレンパン２２ａ，２２ｂは、それぞれの熱交換器部８Ａ，８Ｂから滴下するドレン水を受け、図示しない排水ホースを介して外部に排水できるようになっている。【００２４】
前後ドレンパン２２ａ，２２ｂの一部側壁外面は室内送風機２０に近接して設けられ、これらでファン２１に対するノーズを構成している。前後ドレンパン２２ａ，２２ｂの側壁部分から吹出口６との間に亘ってケーシング２３が設けられ、このケーシング２３で囲まれる空間がノーズと吹出口６とを連通する上記送風路２４の一部を構成する。【００２５】
上記ファン２１から吹出口６に至り送風路２４の一部を構成するケーシング２３には、ファン清掃装置Ｂが取付けられる。【００２６】
長期間の使用によりエアフィルタを通過した空気中に含まれる微細な塵や埃、あるいはカビの胞子等（以下、単に「塵埃等」と呼ぶ）が室内送風機２０のファン２１に付着する。ファン清掃装置Ｂはファン２１から埃を除去し掃除する機能と、ファン２１からファン清掃装置Ｂに移行した塵埃等を除去する機能及び、送風路２４を導かれる気流の方向を変更する機能を備えている。【００２７】
なおファン清掃装置Ｂの構成について説明すると、送風路２４の一部を構成するケーシング２３の内面側に、所定深さと幅方向寸法で、ファン２１の軸方向に沿って対向する収納用凹部３０が設けられる。この収納用凹部３０には、所定の板厚で、収納用凹部３０に収容可能な幅寸法と長さ寸法の板状清掃部材４０と、収納用凹部３０の開口と同様の形状面積でなり、この板状清掃部材４０を覆う開閉自在の蓋体５０を備えている。【００２８】
上記板状清掃部材４０は、一端部が送風路２４の最上流側に回動支点４１を備え、他端部が自由端として回動自在に支持される。自由端となる端部にはブラシ部４２が設けられている。このブラシ部４２は、板状清掃部材４０の厚みと略同一の厚みで、幅方向の全長に亘って設けられていて、上記ファン２１の軸方向に沿って対向している。【００２９】
ブラシ部４２には、防カビ剤、抗菌剤、潤滑剤、帯電防止剤のいずれか１つ、もしくは複数が含有され、もしくは表面に塗布される柔軟材である。さらにそのうえ、ブラシ部４２の表面は金属の薄い膜を形成する金属蒸着処理が施されていて、ブラシ部４２表面の耐摩耗性が高められている。【００３０】
上記蓋体５０は、一端部が送風路２４の最下流側に回動支点５１を備え、他端部が自由端として回動自在に支持される。蓋体５０は、完全な平板であり、自由端には何らの部材も取付けられていないが、板状清掃部材４０と対向する面で先端から所定間隔を存した部位に埃取り用突起部５２が設けられる。【００３１】
したがって、上記ファン２１の軸方向に沿い対向して板状清掃部材４０先端のブラシ部４２が設けられ、かつ上記埃取り用突起部５２は直状に形成されて、ブラシ部４２の全長に亘って対向して設けられる。板状清掃部材４０と蓋体５０は、互いに１つの共通する駆動部に連結されていて、同時に駆動されるようになっている。【００３２】
図２は、板状清掃部材４０と蓋体５０がともに収納用凹部３０に収納された状態を示す要部の断面図である。【００３３】
板状清掃部材４０と蓋体５０の非使用時は、ともに収納用凹部３０に収納される。このとき、板状清掃部材４０が収納用凹部３０の底部側である下側に収納され、板状清掃部材４０の上側に蓋体５０が重ね合わされた状態で収納される。【００３４】
なお説明すると、板状清掃部材４０は収納用凹部３０の底面上に直接置かれ、蓋体５０は板状清掃部材４０を全面的に覆い、かつ蓋体５０の上面はケーシング２３の送風路２４を構成する面よりも凹陥位置にある。【００３５】
図３は、板状清掃部材４０の移動中の状態を示す。このとき同時に、蓋体５０も動作するよう設定されている。【００３６】
図２の状態から、はじめは蓋体５０が回動支点５１を支点として起き上がり、ほとんど直立状態になったタイミングをとって、つぎに板状清掃部材４０が回動支点４１を支点として回動する。蓋体５０はほとんど直立しているので、それまで下側にあった板状清掃部材４０の回動には何らの支障も無く円滑に行われる。【００３７】
そして、このときブラシ部４２は蓋体５０の側面部に設けられる埃取り用突起部５２に摺接し、通過する。ブラシ部４２と埃取り用突起部５２は互いに等しい幅方向長さに形成され、かつ正しく対向しているので、ブラシ部４２は全幅に亘って埃取り用突起部５２に摺接することとなる。【００３８】
図４は、板状清掃部材４０が設定された部位に到達し、ファン２１に対する掃除作用をなす状態を示していて、先に説明した図１の部分拡大図でもある。【００３９】
図３の位置から板状清掃部材４０は継続して回動し、図４に示すようにほとんど直立した状態で起立する。つぎのタイミングで蓋体５０は起立状態から板状清掃部材４０方向へ倒れ込み、先端が板状清掃部材４０の側部に当接した位置で停止する。上記ファン２１は時計回り方向に回転駆動させられるので、蓋体５０はファン２１の反回転方向から板状清掃部材４０に当接することとなる。【００４０】
図５は、ファン２１と板状清掃部材４０との関係を説明する図である。【００４１】
板状清掃部材４０は送風路２４内に突出して、ブラシ部４２がファン２１に斜めに接触するよう起立させられる。板状清掃部材４０のブラシ部４２がファン２１のブレード２７に接するファン円周接線に対する角度をＪとし、ファン２１のブレード２７先端のファン円周接線に対するブレード先端の傾斜角から外側へ延びる線がなす角度をＧ（＜９０°）とすると、  Ｇ  ≦  Ｊ  ≦  Ｇ＋９０°  に設定される。【００４２】
上記板状清掃部材４０のブラシ部４２の厚み寸法Ｗ１は、ファン２１を構成するブレード２７相互の間隔寸法Ｗ２よりも小さく（Ｗ１＜Ｗ２）に形成される。【００４３】
一方、上記室内熱交換器８の一側部には排気装置が設けられている。この排気装置は室内送風機２０を構成するファン２１の側部に隣設され、このファン２１の軸心の延長上に軸心を有している。排気装置は、エアフィルタ清掃装置Ａ及びファン清掃装置Ｂが除去した埃を室外へ排出する機能を備えている。【００４４】
このようにして構成される空気調和機の室内機であって、リモコンの運転スイッチをオンに切換えると、可動パネル２Ａが前部吸込口４を開放し、吹出口６に備えられる吹出しルーバー７ａ，７ｂの風向姿勢が設定される。同時に、室内送風機２０が送風作用をなす一方で、室外機の圧縮機が駆動され冷凍サイクル運転が開始される。【００４５】
室内空気は、前部吸込口４と上部吸込口５とから室内機本体１内に吸込まれる。そして、前部エアフィルタ１１Ａと上部エアフィルタ１１Ｂを通過し、室内空気中に含まれる埃が捕捉される。さらに、空気清浄ユニット１７を流通して、より微細な埃が捕捉され、室内熱交換器８に導かれて熱交換作用が行われる。【００４６】
熱交換したあとの空気は、ファン２１を介して吹出し側の送風路２４を形成するケーシング２３に沿って導かれ、吹出口６から吹出しルーバー７ａ，７ｂに案内されて室内へ吹出される。このとき、ファン清掃装置Ｂを構成する板状清掃部材４０と気流変更機能を有する蓋体５０は、図２に示すように収納用凹部３０に収納されている。【００４７】
特に、板状清掃部材４０の上側にあり、これを全面的に覆う蓋体５０はケーシング２３との送風路２４を構成する面よりも凹陥位置にあって、送風路２４のケーシング２３面の周囲面より低い位置にあるので、送風路２４に導かれる熱交換空気の流れに対する障害にならずにすむ。【００４８】
すなわち、ファン２１から吹出し側の送風路２４を形成するケーシング２３に沿って導かれ、吹出口６から吹出される熱交換空気の噴出流に対し、乱気流の発生、及び送風空気の流速に引かれる吸引作用の影響を受けにくい位置に配設された構成となっている。【００４９】
空調運転を長期間継続すると、必然的に前部エアフィルタ１１Ａと、上部エアフィルタ１１Ｂに室内空気から捕捉した埃が堆積するとともに、前、上部エアフィルタ１１Ａ，１１Ｂ及び空気清浄ユニット１７においても捕捉されなかった埃が室内熱交換器８を通過し、室内送風機２０を構成するファン２１に付着する。【００５０】
そこで、制御部は所定の空調運転累積時間の経過後に機内クリーン運転を行うべく、エアフィルタ清掃装置Ａとファン清掃装置Ｂに作動開始信号を送る。もしくは、ユーザーが任意でリモコンの掃除スイッチを押すことで、制御部から各清掃装置Ａ，Ｂへ作動開始信号を送れるように設定してもよい。【００５１】
上記制御部は可動パネル２Ａの駆動部へ信号を送って前部吸込口４を閉成するとともに、吹出しルーバー７ａ，７ｂの駆動部へ信号を送って吹出口６を閉成する。予め室内機本体１を略密閉構造化することにより、収集した埃が漏れるのを可能な限り防止する。【００５２】
これらの閉成完了後のタイミングをとって、はじめにエアフィルタ清掃装置Ａへ作動開始信号が送られる。エアフィルタ清掃装置Ａでは前部エアフィルタ１１Ａと上部エアフィルタ１１Ｂに付着している埃を掻き落す。掻き落された埃は、エアフィルタ清掃装置Ａに受け入れられ、さらに屋外へ排出される。【００５３】
一方、ファン清掃装置Ｂにおいては、図２に示す非動作状態から、一旦、図３に示す状態に変る。さらに板状清掃部材４０を起立させるとともに、蓋体５０は収納用凹部３０への収納方向に回動させる。このとき、板状清掃部材４０先端のブラシ部４２は蓋体５０に設けられる埃取り用突起部５２に摺接する。したがって、たとえブラシ部４２に埃が残っていても、埃取り用突起部５２がその埃を掻き落す。【００５４】
結局、図１及び図４に示すように、板状清掃部材４０を起立させてブラシ部４２先端をファン２１のブレード２７に接触させる。蓋体５０は先端が板状清掃部材４０の側部に接触するよう斜め姿勢となる。そのうえで、ファン２１を所定の回転数で回転するよう制御する。【００５５】
ファン２１の回転にともなってブラシ部４２の毛先が摺接し、ファン２１のブレード２７に付着していた埃が除去される。このとき、上述した（Ｇ≦Ｊ≦Ｇ＋９０°、Ｗ１＜Ｗ２）を設定しているから、ブラシ部４２先端がファン２１のブレード２７先端相互の内側に入り易くなり、ブレード２７先端内側の埃を確実に掻き取ることができる。【００５６】
ファン２１は時計回り方向に回転駆動させられ、蓋体５０は板状清掃部材４０を支持する。ブラシ部４２がブレード２７に付着する埃を除去する一方で、板状清掃部材４０はファン２１の回転方向に付勢力を受けて倒れ込もうとするが、蓋体５０が反回転方向側から支持するので倒れ込みがなく、埃除去を支障なく継続できる。【００５７】
同時に、排気装置が作動して、室内熱交換器８から流出した二次側空気とファン２１から掻き落された埃を吸引し、かつ屋外へ排出する。なお、吹出しルーバー７ａ，７ｂで吹出口６を閉成したうえでファン２１を低速回転させ、蓋体５０は板状清掃部材４０とともにケーシング２３によって形成される送風路２４中に突出している。【００５８】
そのため、特に図１に示すように、蓋体５０と板状清掃部材４０が擬似ノーズの作用をなし、気流はファン２１と、ファン２１の周辺である室内熱交換器８の二次側を循環する循環流Ｒを形成する。循環流Ｒは、室内熱交換器８の二次側空気として、ついには排気装置へ吸込まれて屋外へ排気される。【００５９】
所定時間、ファン清掃装置Ｂを作動させたら、再び板状清掃部材４０と蓋体５０を図２に示すように収納用凹部３０に収納する。この途中でも、板状清掃部材４０先端のブラシ部４２は蓋体５０の埃取り用突起部５２に摺接する。したがって、ファン２１からブラシ部４２に移行した埃は埃取り用突起部５２によって掻き落され、排気装置を介して屋外へ排出される。【００６０】
このようにして、ファン２１から掻き落された埃及び、埃取り用突起部５２により板状清掃部材４０のブラシ部４２から掻き落された埃を含む気流が、ファン２１周辺へ飛散し、もしくは各構成部品に付着することなく、全て屋外へ排出されて室内機本体１内部の清潔度を保持する。【００６１】
なお、ファン清掃装置Ｂは、ファン２１から吹出口６に至る送風路２４の一部を構成するケーシング２３に設けられていて、ファン清掃装置Ｂである蓋体５０と板状清掃部材４０が送風路２４に沿って位置している。【００６２】
したがって、ファン清掃装置Ｂの非動作時においても、この装置Ｂが送風路２４を導かれる気流に対してある程度の影響を及ぼすことはやむを得ない。そこで、ファン清掃装置Ｂの非動作時における形態の相違により、送風路２４を導かれる気流に対してどのような影響を及ぼすのかシミュレーションしてみた。【００６３】
図６Ａは、ファン清掃装置Ｂ１が非動作状態で送風路２４を形成するケーシング２３から送風路２４内に突出している場合の圧力分布を示すシミュレーション図である。図中の線は、圧力（負圧）の等圧線である。（以下、同じ）
送風路２４に導かれる気流はファン２１から吹出口６側へ送られる空気の流れ、すなわち噴流に対し、その噴流の外周に当たる送風路２４のケーシング２３にはファン清掃装置Ｂ１が設置されている。【００６４】
このケーシング２３面に沿って導かれる空気の流れは、ファン清掃装置Ｂ１を構成する蓋体５０の周囲に形成される突出段部によって流れが乱され、乱気流が生じ、噴流部との圧力差が比較的大きくなるといった現象が見られることが分かった。【００６５】
これにより、送風路２４のファン清掃装置Ｂ１が設置されているケーシング２３面の圧力の負圧状態が大きくなり、このため、ファン清掃装置Ｂ１の蓋体５０が送風路２４側に引かれる現象が生じる。【００６６】
したがって、ファン清掃装置Ｂ１の蓋体５０が浮き上がり、送風を乱し、空調効率を低下させる要因となる。すなわち、蓋体５０が浮き上がらないように、強固な構造とする必要が生じるといった問題がある。したがって、ファン清掃装置Ｂ１が送風路２４中に突出している構成は採用できない。【００６７】
図６Ｂは、ファン清掃装置Ｂ２が非動作状態で送風路２４を形成するケーシング２３の面と面一（同一平面）の場合の圧力分布を示すシミュレーション図である。【００６８】
ファン２１から吹出口６側に送られる空気の流れ、すなわち噴流側の風の流れに対する、噴流の外周に当たる送風路２４のケーシング２３部分に近い部分の圧力分布は、比較的乱れがない。さらに、噴流に引かれる負圧は、ケーシング２３面の下方に行くにしたがい影響が低減される（負圧値が減少する）傾向が見られる。【００６９】
このため、ケーシング２３面に位置するファン清掃装置Ｂ１の蓋体５０が送風路２４側へ引かれる現象は、上記ファン清掃装置Ｂ１が送風路２４内に突出している場合に比べ、軽減している。【００７０】
ただし、蓋体５０が送風路２４内に引かれる現象は、ある程度存在するため、蓋体５０が通常運転時に開かないよう、保持させる手段は必要である。【００７１】
図６Ｃは、ファン清掃装置Ｂ３が非動作状態で送風路２４を形成するケーシング２３の面から一段下がって凹陥形成されている場合の圧力分布を示すシミュレーション図である。図７は、実際のファン清掃装置Ｂ３の断面図である。【００７２】
このような構成とした場合、ファン２１から突出して吹出側に送られる空気の流れ、すなわち噴流側の風の流れに対する、その噴流の外周に当たる送風路２４のケーシング２３部分に近い部分の圧力分布は、上記ファン清掃装置Ｂ２のようなケーシング２３面と面一（同一平面）の場合と比較して、乱れがなく、噴流に引かれる負圧値も低減された値を示している。【００７３】
したがって、閉塞状態での蓋の保持が容易で、通常空調運転時の送風作用をスムーズに行え信頼性の向上を図れることができる。【００７４】
そして、図６Ｃの形態から、図７に示すようにファン清掃装置Ｂ３がケーシング２３からどの程度凹陥していれば良いか、実際の寸法を種々変更して、再びシミュレーションしてみた。【００７５】
結果として、ファン清掃装置Ｂ３の蓋体５０表面は、ケーシング２３の送風路を構成する内面よりも深さが１〜５ｍｍ程度凹陥形成していれば最良であることが分かった。この程度の寸法であれば、ファン清掃装置Ｂ３のケーシング２３裏面側に形成される配管収納のためのスペースに及ぼす影響を与えることなく、配管収納スペースが充分に確保される。【００７６】
なお、本発明は上述した実施の形態そのままに限定されるものではなく、実施段階ではその要旨を逸脱しない範囲で構成要素を変形して具体化できる。たとえば、ケーシング２３の一部を凹陥形成してなる収納用凹部３０に収容されるファン清掃装置Ｂ３を、上記した送風路２４に延出自在に支持される清掃部材４０と、その清掃部材４０を覆う蓋体５０とにより構成させたものではなく、送風路２４に延出自在に支持される清掃部材４０のみで構成させたものも含まれる。そして、上述した実施の形態に開示されている複数の構成要素の適宜な組合せにより種々の発明を形成できる。
【産業上の利用可能性】
【００７７】
本発明によれば、ファン清掃装置によって室内送風機のファンを清潔な状態に保持し、かつファン清掃装置が送風空気により送風路側に引っ張られたり、送風空気が乱れたりすることなく円滑な送風が行え、空調能力を長期間に亘って保持する効果を奏する。
【図１】
2008062876.tif 000003
【図２】
2008062876.tif 000004
【図３】
2008062876.tif 000005
【図４】
2008062876.tif 000006
【図５】
2008062876.tif 000007
【図６Ａ】
2008062876.tif 000008
【図６Ｂ】
2008062876.tif 000009
【図６Ｃ】
2008062876.tif 000010
【図７】
2008062876.tif 000011
【国際調査報告】
2008062876.tif 000012
2008062876.tif 000013
2008062876.tif 000014